(57)【要約】【課題】高温、多湿の環境下での表示装置の明るさのムラを低減する。【解決手段】表示パネルの後側に配置され、入射した光を導いて前記表示パネルに向けて出射させる導光板と、前記導光板の後側に配置され、前記導光板から後側に向けて出射する光の少なくとも一部を前記導光板に向けて反射する反射シートと、少なくとも前記導光板を収納するフレームと、を備え、前記フレームには、前記導光板と前記反射シートとを離間させるための規制片が設けられている。【選択図】      図２
2011210692.tif 000002
【特許請求の範囲】
【請求項１】
表示パネルの後側に配置され、入射した光を導いて前記表示パネルに向けて出射させる導光板と、
前記導光板の後側に配置され、前記導光板から後側に向けて出射する光の少なくとも一部を前記導光板に向けて反射する反射シートと、
少なくとも前記導光板を収納するフレームと、を備え、
前記フレームには、前記導光板と前記反射シートとを離間させるための規制片が設けられていることを特徴とする光源装置。
【請求項２】
第１の主面と第２の主面との間に厚みを有し、端面から入射された光を導いて前記第１の主面から出射させる導光板と、
前記第２の主面に対向するように配置され、前記導光板の中を導かれる光のうち前記第２の主面から漏れ出た光を前記導光板に向けて反射させる反射シートと、
少なくとも前記導光板を収納するフレームと、を備え、
前記フレームには、前記導光板と前記反射シートとを離間させるための規制片が設けられていることを特徴とする光源装置。
【請求項３】
前記フレームは、前記表示パネルを保持するパネル保持枠部と前記導光板を保持する導光板保持部とを有し、
前記導光板保持部の端部のうち該導光板保持部に対して前記パネル保持枠部が配置された側とは反対側に前記規制片が形成されていることを特徴とする請求項１又は請求項２に記載の光源装置。
【請求項４】
前記フレームは、少なくとも前記導光板と前記反射シートとを収納し、
前記規制片は、前記導光板を前記フレーム内に保持するための複数の爪を含むことを特徴とする請求項１乃至請求項３のいずれかに記載の光源装置。
【請求項５】
前記規制片は、前記導光板が前記反射シート側とその反対側の方向に移動することを規制する複数の爪を含むことを特徴とする請求項１乃至請求項４のいずれかに記載の光源装置。
【請求項６】
前記複数の爪のうち前記導光板が前記反射シート側に移動することを規制する爪が前記フレームから前記フレームに対して前記導光板が配置された側に延びる長さは、前記複数の爪のうち前記導光板が前記反対側に移動することを規制する爪が前記フレームから前記フレームに対して前記導光板が配置された側に延びる長さよりも短いことを特徴とする請求項５に記載の光源装置。
【請求項７】
前記複数の爪のうち前記導光板が前記反射シート側に移動することを規制する爪が前記フレームから前記フレームに対して前記導光板が配置された側に延びる長さは、前記複数の爪のうち前記導光板が前記反対側に移動することを規制する爪が前記フレームから前記フレームに対して前記導光板が配置された側に延びる長さよりも長いことを特徴とする請求項５に記載の光源装置。
【請求項８】
前記フレームは矩形状であり、前記複数の爪は前記矩形のうち対向する一対の辺に設けられていることを特徴とする請求項４乃至請求項７に記載の光源装置。
【請求項９】
前記パネル保持枠部は、前記表示パネルの周辺部を支持し、
前記複数の爪は、前記導光板の前記表示パネル側への移動を規制する爪と前記導光板の前記表示パネル側とは反対側の方向への移動を規制する爪とを含むことを特徴とする請求項４乃至請求項８いずれかに記載の光源装置。
【請求項１０】
前記複数の爪は弾性を持った突起であることを特徴とする請求項４乃至請求項９のいずれかに記載の光源装置。
【請求項１１】
前記反射シートを前記フレームの前記規制片との間に保持する下ケースをさらに備えることを特徴とする請求項１乃至請求項１０のいずれかに記載の光源装置。
【請求項１２】
請求項１乃至請求項１１のいずれかに記載の光源装置と、前記光源装置の前記導光板と重ねて配置された表示パネルとを備えることを特徴とする表示装置。
【請求項１３】
前記フレームに収納された前記表示パネルを、その周辺で保持する上ケースをさらに備えることを特徴とする請求項１２に記載の表示装置。
【請求項１４】
前記規制片は、弾性を有する樹脂により、前記フレームと一体に形成されていることを特徴とする請求項１乃至請求項１３のいずれかに記載の表示装置。
【発明の詳細な説明】
【技術分野】
【０００１】
この発明は、表示パネルとその表示パネルを照明する光源装置及びそれを備える表示装置に関する。
【背景技術】
【０００２】
例えば光源装置としてバックライトを備えた表示装置が知られている。そして、バックライトは、端面にＬＥＤ等の光源を配置した導光板と、該導光板の前面に対して前側に配置した光学シートと、前記導光板の後側に配置した反射シートとを有する（特許文献１参照）。
【先行技術文献】
【特許文献】
【０００３】
【特許文献１】特開２００８−０７６９１８号公報
【発明の概要】
【発明が解決しようとする課題】
【０００４】
上述したバックライトを備えた液晶表示装置において、合成樹脂により反射シートを形成した場合、高温、多湿の環境に曝されると、前記反射シートが変形し、前記反射シートには前記導光板と接触する部分と接触しない部分とか発生し、それらの部分の間で明るさが不均一になり、液晶表示パネルの明るさも不均一になって表示品質が低下するという問題があった。
この発明は、高温、多湿の環境においても、均一な明るさの表示が可能な光源装置及びそれを備える表示装置を提供することを目的としたものである。
【課題を解決するための手段】
【０００５】
請求項１に記載の光源装置は、表示パネルの後側に配置され、入射した光を導いて前記表示パネルに向けて出射させる導光板と、前記導光板の後側に配置され、前記導光板から後側に向けて出射する光の少なくとも一部を前記導光板に向けて反射する反射シートと、少なくとも前記導光板を収納するフレームと、を備え、前記フレームには、前記導光板と前記反射シートとを離間させるための規制片が設けられていることを特徴とする。
【０００６】
請求項２に記載の光源装置は、第１の主面と第２の主面との間に厚みを有し、端面から入射された光を導いて前記第１の主面から出射させる導光板と、前記第２の主面に対向するように配置され、前記導光板の中を導かれる光のうち前記第２の主面から漏れ出た光を前記導光板に向けて反射させる反射シートと、少なくとも前記導光板を収納するフレームと、を備え、前記フレームには、前記導光板と前記反射シートとを離間させるための規制片が設けられていることを特徴とする。
【０００７】
請求項３に記載の発明は、請求項１又は請求項２に記載の光源装置において、前記フレームは、前記表示パネルを保持するパネル保持枠部と前記導光板を保持する導光板保持部とを有し、前記導光板保持部の端部のうち該導光板保持部に対して前記パネル保持枠部が配置された側とは反対側に前記規制片が形成されていることを特徴とする。
【０００８】
請求項４に記載の発明は、請求項１乃至請求項３のいずれかに記載の光源装置において、前記フレームは、少なくとも前記導光板と前記反射シートとを収納し、前記規制片は、前記導光板を前記フレーム内に保持するための複数の爪を含むことを特徴とする。
【０００９】
請求項５に記載の発明は、請求項１乃至請求項４のいずれかに記載の光源装置において、前記規制片は、前記導光板が前記反射シート側とその反対側の方向に移動することを規制する複数の爪を含むことを特徴とする。
【００１０】
請求項６に記載の発明は、請求項５に記載の光源装置において、前記複数の爪のうち前記導光板が前記反射シート側に移動することを規制する爪が前記フレームから前記フレームに対して前記導光板が配置された側に延びる長さは、前記複数の爪のうち前記導光板が前記反対側に移動することを規制する爪が前記フレームから前記フレームに対して前記導光板が配置された側に延びる長さよりも短いことを特徴とする。
【００１１】
請求項７に記載の発明は、請求項５に記載の光源装置において、前記複数の爪のうち前記導光板が前記反射シート側に移動することを規制する爪が前記フレームから前記フレームに対して前記導光板が配置された側に延びる長さは、前記複数の爪のうち前記導光板が前記反対側に移動することを規制する爪が前記フレームから前記フレームに対して前記導光板が配置された側に延びる長さよりも長いことを特徴とする。
【００１２】
請求項８に記載の発明は、請求項４乃至請求項７に記載の光源装置において、前記フレームは矩形状であり、前記複数の爪は前記矩形のうち対向する一対の辺に設けられていることを特徴とする。
【００１３】
請求項９に記載の発明は、請求項４乃至請求項８いずれかに記載の光源装置において、前記パネル保持枠部は、前記表示パネルの周辺部を支持し、前記複数の爪は、前記導光板の前記表示パネル側への移動を規制する爪と前記導光板の前記表示パネル側とは反対側の方向への移動を規制する爪とを含むことを特徴とする。
【００１４】
請求項１０に記載の発明は、請求項４乃至請求項９のいずれかに記載の光源装置において、前記複数の爪は弾性を持った突起であることを特徴とする。
【００１５】
請求項１１に記載の発明は、請求項１乃至請求項１０のいずれかに記載の光源装置において、前記反射シートを前記フレームの前記規制片との間に保持する下ケースをさらに備えることを特徴とする。
【００１６】
請求項１２に記載の表示装置は、請求項１乃至請求項１１のいずれかに記載の光源装置と、前記光源装置の前記導光板と重ねて配置された表示パネルとを備えることを特徴とする。
【００１７】
請求項１３に記載の発明は、請求項１２に記載の表示装置において、前記フレームに収納された前記表示パネルを、その周辺で保持する上ケースをさらに備えることを特徴とする。
【００１８】
請求項１４に記載の発明は、請求項１乃至請求項１３のいずれかに記載の表示装置において、前記規制片は、弾性を有する樹脂により、前記フレームと一体に形成されていることを特徴とする。
【発明の効果】
【００１９】
この発明の光源装置及び表示装置によれば、高温、多湿の環境においても、均一な明るさの表示を行なうことができる。
【図面の簡単な説明】
【００２０】
【図１】この発明の第１の実施形態を示す液晶表示装置Ａの分解斜視図。
【図２】（ａ）及び（ｂ）は、第１の実施形態にかかる液晶表示装置１の図１のIIa−IIa切断線及びIIb−IIb切断線に沿った断面図。
【図３】（ａ）及び（ｂ）は、この発明の第２の実施形態を示す液晶表示装置１Ａの図４のIIIa−IIIa切断線及びIIIb−IIIb切断線に沿った断面図。
【図４】この発明の第２の実施形態における主要部材の構造を示す斜視図。
【図５】この発明の第３の実施形態を示す液晶表示装置１Ｂの図６のV−V切断線に沿った断面図。
【図６】この発明の第３の実施形態における主要部材の構造を示す斜視図。
【図７】（ａ）及び（ｂ）は、この発明の第４の実施形態を示す液晶表示装置１Ｃの図８のVIIa−VIIa切断線及びVIIb−VIIb切断線に沿った断面図。
【図８】この発明の第４の実施形態における主要部材の構造を示す斜視図。
【発明を実施するための形態】
【００２１】
（実施例１）
図１及び図２はこの発明の第１の実施例を示しており、図１は表示装置としての液晶表示装置１を分解して概略を示す斜視図、図２（ａ）及び（ｂ）は、第１の実施形態にかかる液晶表示装置の図１のIIa−IIa切断線及びIIb−IIb切断線に沿った断面図である。
【００２２】
この発明の実施形態の液晶表示装置１は、図１及び図２（ａ）、（ｂ）に示すように、前面に偏光板１４が設けられた前側の基板１１と、後面に偏光板１５が設けられた後側の基板１２とが液晶１６及びシール材１３を介して対向配置された液晶表示素子１０と、この液晶表示素子１０の後側に配置される導光板２０と、この導光板２０と前記液晶表示素子１０との間に配置されたプリズムシート２１ａ、拡散板２１ｂ等の複数の光学フィルム２１と、前記導光板２０の後側に配置され、前記導光板２０から前記液晶表示素子１０の方向以外の方向に漏れ出た光のうち一部を反射する反射シート４０と、前記液晶表示素子１０、前記導光板２０、前記光学フィルム２１、前記反射シート４０等を保持するフレーム３０と、これらを収納する上ケース６０及び下ケース５０とを備えている。
【００２３】
前記液晶表示素子１０は、一対の基板１１，１２の互いに向き合う面の少なくとも一方には図示しない複数の透明電極が形成され、前記一対の基板１１、１２間の前記シール材１３によって取り囲まれた領域に前記液晶１６が封入されている。また、この液晶表示素子１０を駆動するための図示しない駆動回路へ駆動信号等を供給するための図示しない液晶駆動用フィルム配線基板を備えている。
【００２４】
上記液晶表示パネル１０としては、液晶層の液晶分子を、前記一対の基板１１，１２間で実質的に９０°ツイスト配向させたツイステッドネマチック型の液晶表示素子、前記一対の基板１１，１２間で液晶分子を９０°以上ツイスト配向させたＳＴＮ型、液晶分子を基板１１，１２面に対して実質的に垂直に配向させた垂直配向型、液晶分子の分子長軸を一方向に揃えて基板１１，１２の面と実質的に平行に配向させた非ツイストの水平配向型、液晶分子をベンド配向させるベンド配向型、あるいは強誘電性または反強誘電性液晶表示素子のいずれでも適用することができる。
【００２５】
また、前記液晶表示パネル１０としては、一対の基板１１，１２のいずれか一方の基板の内面に複数の画素を形成するための画素電極と前記画素電極と絶縁して形成された複数の対向電極とを設け、これらの電極間に横電界（基板面に沿う方向の電界）を生じさせて液晶分子の配向状態を変化させる横電界制御型であってもよい。さらには、薄膜トランジスタを用いたアクティブ駆動型、あるいは複数の行電極と複数の列電極とを互いに交差させて配置したパッシブ駆動型の液晶表示素子であっても良い。
【００２６】
前記導光板２０は透明な矩形形状の板状部材からなり、側面のうち一つである入射端面から入射した光を前面である光出射面（第１の主面）から出射させる。前記反射シート４０は、光反射性を持った樹脂フィルム、または、金属膜をコーティングした樹脂フィルム等からなる。前記導光板２０の入射端面に対向させて図示しないＬＥＤ（発光ダイオード）等からなる光源が配置され、光源から出射された光が前記入射端面を介して前記導光板２０に入射される。尚、本明細書では、前記導光板２０が有する面のうち第１の主面と対向配置された面を第２の主面といい、前記導光板２０は第１の主面と第２の主面との間に厚みを有している。また前記反射シート４０は前記導光板２０のうち第２の主面に対向するように配置され、前記導光板２０の中を導かれる光のうち前記第２の主面から漏れ出た光を前記導光板２０に向けて反射している。
【００２７】
前記液晶表示パネル１０とバックライト７０とは、樹脂によって形成されたフレーム３０によって保持されている。このフレーム３０は、前記液晶表示パネル１０の周辺部を取り囲み保持するパネル保持枠部３０ａと、そのパネル保持枠部３０ａよりも後側に配置され、前記導光板２０を取り囲み保持する導光板保持部３０ｂと、その導光板保持部３０ｂよりも後側に配置され、前記光学シート４０を取り囲み保持する前記反射シート保持部３０ｃとからなっている。パネル保持枠部３０ａ、導光板保持部３０ｂ及び反射シート保持部３０ｃは一体的に形成されている。
【００２８】
前記導光板保持部３０ｂは弾性を持った複数の上及び下規制片３０ｄ，３０ｅが設けられ、これらの上及び下規制片３０ｄ，３０ｅによって前記導光板２０が保持されている。すなわち、前記フレーム３０の導光板保持部３０ｂの最前端側には、前記パネル保持枠部３０ａの矩形のうち対向する一対の辺のほぼ中央に、一方の面が導光板保持部３０ｂの最上面と面一であり、前記矩形の枠の内側に延びる弾性を持った突起状の爪からなり、前記導光板２０の前側に配置されたプリズムシート２１ａの前面に当接する複数の上規制片３０ｄが一体的に形成されている。また、前記フレーム３０の導光板保持部３０ｂの最後端側には、前記パネル保持枠部３０ａの矩形のうち上規制片３０ｄが設けられた一対の辺の両端に、一方の面が導光板保持部３０ｂの最下面と面一であり、前記矩形の枠の内側に延びる弾性を持った突起状の爪からなり、前記導光板２０の後面に当接する複数の下規制片３０ｅが一体的に形成されている。
【００２９】
前記導光板２０には、前記複数の光学シート２１が貼り付けられて一体化されており、一体化された導光板２０は、前記フレーム３０の複数の上下の規制片３０ｄ，３０ｅをたわませ、あるいはフレーム３０自体をたわませて、前記上規制片３０ｄと下規制部片３０ｅとの間に挿入されて係止される。その後、液晶表示パネル１０をフレーム３０の前側から、前記パネル保持枠部３０ａに挿入する。そして、フレーム３０の後側から反射シート４０を前記下規制片３０ｅに当接させて挿入し、これらを保持させたフレーム３０の後側から下ケース５０を嵌め込む、また前側から上ケース６０を嵌め込むことにより、前記フレーム３０内に液晶表示パネル１０、導光板２０、及び反射シート４０等を保持させ且つ上下ケース６０，５０内に収納することができる。
【００３０】
このように、前記反射シート４０は、前記フレーム３０の後側の前記下規制片３０ｅを挟んで最後端側に配置される。したがって、前記反射シート４０は、導光板２０に対して前記下規制片３０ｅの厚さに相当する距離だけ離間された状態で前記フレーム３０に組み込まれている。よって、液晶表示装置１が高温で且つ多湿の環境に曝されて、前記反射シート４０が変形したとしても、前記導光板２０との間に下規制片３０ｅの厚さに対応する十分な距離が開けられているため、前記反射シート４０が導光板２０と接触することが無く、前記導光板２０からは出射する光にムラが発生することなく、均一な照明による均一な表示が得られる。
【００３１】
尚、上述した実施形態では、液晶表示パネル１０や導光板２０等を上下のケース６０，５０ではさみこむことによって固定するものであって、たとえば前記パネル保持枠部３０ａと上ケース６０との間に液晶表示パネル１０を挟み込むようにして固定しているが、これに限ることなく、それぞれの部材を粘着材、又は接着剤によって固定するようにしてもよく、たとえば、前記フレーム３０の前記パネル保持枠部３０ａに両面粘着テープを配置し、この粘着テープによって液晶表示パネル１０と前記フレーム３０とを固定するようにしても良い。
【００３２】
上述したように、この発明の液晶表示装置１は、表示パネル１０と、前記表示パネル１０の後側に配置され、入射した光を導いて前記表示パネル１０に向けて出射させる導光板２０と、前記導光板２０の後側に配置され、前記導光板２０から前記液晶表示パネル１０の方向以外の方向に出射する光の少なくとも一部を前記導光板２０に向けて反射する反射シート４０と、前記表示パネル１０と、前記導光板２０と、前記反射シート４０のうち、少なくとも前記導光板４０を収納するフレーム３０と、前記導光板２０の後面と前記反射シート４０との間に設けられ、前記導光板２０と前記反射シート４０とを離間させるための規制片３０ｅとを備えているので、明るさが均一な照明による均一な表示が得られる。
【００３３】
そして、この液晶表示装置１において、前記下規制片３０ｅは、前記フレーム３０に一体的に形成されるのが望ましく、これによってフレーム構造を単純化することができる。
【００３４】
また、この液晶表示装置１においては、前記フレーム３０に、少なくとも前記導光板２０と前記反射シート４０とを収納させ、前記上規制片３０ｄを、前記導光板２０を前記フレーム３０内に保持するための複数の爪とし、また前記下規制片３０ｅを、前記導光板２０の前記表示パネル１０側とその反対側の方向への移動を規制する複数の爪としたので、フレーム３０の構造を単純化するとともに、前記導光板２０の組み付けが容易になる。
【００３５】
さらにこの実施形態の液晶表示装置１は、前記フレーム３０に収納された前記液晶表示パネル１０を、その周辺で保持する上ケース６０、前記反射シート４０を前記フレーム３０の前記下規制片３０ｅとの間に保持する下ケース５０の少なくとも一つを備えているため、液晶表示装置１の液晶表示パネル１０等を少ない部品で確実に固定することができる。
【００３６】
またさらに、この実施形態の液晶表示装置１において、前記上下の規制片３０ｄ，３０ｅを、弾性を有する樹脂により、前記フレーム３０と一体に形成することにより、部品点数を削減し、且つ組み付けを容易にすることができる。
【００３７】
（実施例２）
図３（ａ）及び（ｂ）は、この発明の第２の実施形態を示す液晶表示装置の図４のIIIa−IIIa切断線及びIIIb−IIIb切断線に沿った断面図、図４は前記第２の実施形態におけるフレームの形状を示す斜視図である。なお、この第２の実施形態において、上記第１の実施形態と同一構成には同一の符号を付し、説明を省略する。
【００３８】
これらの図３（ａ）及び（ｂ）、図４に示した第２の実施形態は、上記第１の実施形態の表示装置１に比べて、前記液晶表示パネル１０を粘着材によってフレーム３１に固定することによって、上ケース６０を省略した点が相違するものであり、他の構成は第１の実施形態と同じである。
【００３９】
この実施形態の表示装置１Ａは、第１の実施形態と同様に、液晶表示パネル１０等がフレーム３１により保持されている。このフレーム３１は、前記液晶表示パネル１０の周辺部を取り囲み保持するパネル保持枠部３１ａと、そのパネル保持枠部３１ａよりも後側に前記導光板２０を保持するための弾性を持った複数の上規制片３１ｄと下規制片３１ｅとを備え、前記上下の規制片３１ｄ，３１ｅにより形成される前記導光板保持部３１ｂの後側の前記下規制片３１ｅよりもさらに後側に設けられた反射シート保持部３１ｃとからなっている。
【００４０】
前記フレーム１０のパネル保持枠部３１ａの後側には、前記パネル保持枠部３１ａの矩形の枠のほぼ中央に、一方の面を段面と一致させ、前記矩形の枠の内側に延びる弾性を持った突起からなり、前記導光板２０の前面に当接する複数の上規制片３１ｄが一体的に形成されている。また、前記パネル保持枠部３１ａの矩形の枠の長手方向の両端には、前記矩形の枠の内側に延びる弾性を持った突起からなり、前記導光板２０の後側に当接する複数の下規制片３１ｅが一体的に形成されている。
【００４１】
前記フレーム２１に液晶表示パネル１０を組み立てるには、先ず、前記導光板２０を組み付け、ついで前記液晶表示パネル１０を組み付け、最後に下ケース５１を組み付ける。
【００４２】
すなわち、前記導光板２０には、前記複数の光学シート２１が貼り付けて一体化されているので、この一体化された導光板２２は、前記フレーム３１の複数の上及び下規制片３１ｄ，３１ｅをたわませ、あるいはフレーム３１自体をたわませて、前記上規制片３１ｄと下規制部片３１ｅとの間に挿入される。その後、前記フレーム３１のパネル保持枠部３１ａに粘着テープ８０を貼付、この粘着テープ８０に前記液晶表示パネル１０を貼り付けることによって、前記フレーム３１に液晶表示パネル１０を固定する。そして、フレーム３１の後側から反射シート４０を前記下規制片３１ｅに当接させて挿入し、これらを保持させた前記フレーム３１の後側から下ケース５１を嵌め込むことにより、液晶表示装置１Ａが組み立てられる。
【００４３】
このように、前記反射シート４０は、前記フレーム３１の後側の前記下規制片３１ｅを挟んで最後端側に配置される。したがって、前記反射シート４０は、導光板２０に対して前記下規制片３１ｅの厚さに相当する距離だけ離間された状態で前記フレーム３１に組み込まれているので、前記反射シート４０が変形したとしても、前記導光板２０との間に下規制片３１ｅの厚さに対応する十分な距離が開けられているため、前記導光板２０から出射する光にムラが発生しない。
【００４４】
また、この実施形態によれば、上ケースを省略することができるので、部品点数が削減される。
【００４５】
このように、この実施形態の液晶表示装置１Ａは、前記フレーム３１に、前記表示パネル１０の周辺部が当接するパネル保持枠部３１ａと、前記導光板２０の前記表示パネル１０側への移動を規制する複数の爪と、前記導光板２０の後側の方向への移動を規制する複数の爪と設け、上ケースを用いないので、部品数を削減することができる。
【００４６】
（実施例３）
図５はこの発明の第３の実施形態にかかる液晶表示装置１Ｂの断面図、図６は前記第２の実施形態におけるフレームの形状を示す斜視図である。なお、この第３の実施形態において、上記第１の実施形態と同一構成には同一の符号を付し、説明を省略する。
【００４７】
これらの図５、図６に示した第３の実施形態は、導光板２０と反射板４０との間にフレーム３２と一体的に形成され、前記導光板２０と反射板４０とを離間させるための規制片３２ｄを配置し、前記導光板と液晶表示パネルを上ケースで固定するようにしたものであり、第１の実施形態と比べて、導光板２０を挟み付けて保持する上規制片が設けられていないという点で相違するものであり、他の構成は第１の実施形態と同じである。
【００４８】
この実施形態の表示装置１Ｂは、第１の実施形態と同様に、液晶表示パネル１０等がフレーム３２によって保持されている。このフレーム３２は、前記液晶表示パネル１０の周辺部を取り囲み保持するパネル保持枠部３２ａと、そのパネル保持枠部３２ａよりも後側に前記導光板２０を保持するための導光板保持部３２ｂと、その導光板保持部３２ｂの後側のみに複数の下規制片３２ｅが配置され、前記導光板保持部３２ｂよりも後側に配置された前記下規制片３２ｂよりもさらに後側に設けられた反射シート保持部３２ｃとからなっている。
【００４９】
すなわち、前記フレーム３２の導光板保持部３２ｂの最後端側には、前記導光板保持部３２ｂの矩形の枠のほぼ中央と両端に、前記矩形の枠の内側に延びる突起からなり、前記導光板２０の裏面に当接する複数の下規制片３２ｅが前記フレーム３２と一体的に形成されている。
【００５０】
前記フレーム３２に液晶表示パネル１０を組み立てるには、先ず、複数の光学シート２１が一体化された導光板２０を、前記フレーム３２の複数の下規制片３２ｅの上に挿入する。その後、液晶表示パネル１０をフレーム３２の前側から、前記パネル保持枠部３２ａに挿入する。そして、フレーム３２の後側から反射シート４０を前記下側規制片３２ｄに当接させて挿入し、これらを保持させたフレーム３２の後側から下ケース５０を嵌め込む、また前側から上ケース６０を嵌め込むことにより、前記フレーム３２内に液晶表示パネル１０、導光板２０、及び反射シート４０等を保持させ且つ上下ケース内に収納する。
【００５１】
このように、前記反射シート４０は、前記フレーム３２の後側の前記下規制片３２ｅを挟んで最後端側に配置される。したがって、前記反射シート４０は、導光板２０に対して前記下規制片３２ｅの厚さに相当する距離だけ離間された状態で前記フレーム３２に組み込まれているので、前記反射シート４０が変形したとしても、前記導光板２０との間に下規制片３２ｅの厚さに対応する十分な距離が開けられているため、前記導光板２０からは出射する光にムラが発生しない。
【００５２】
また、この発明の表示装置１Ｂによれば、液晶表示パネル１０と導光板２０との間の上規制部片を設けていないので、液晶表示装置１Ｂの厚さを薄くすることができる。
【００５３】
このように、この実施形態の液晶表示装置１Ｂは、前記フレーム３２が、前記液晶表表示パネル１０を収納する段差状のパネル保持枠部３２ａと、前記導光板２０を収納する導光板保持部３２ｂとを備え、前記導光板保持部３２ｂの後側のみに、前記下規制片３２ｅを形成したので、液晶表示装置１Ｂを薄くすることができる。
【００５４】
（実施例４）
図７（ａ）及び（ｂ）は、この発明の第４の実施形態を示す液晶表示装置１Ｃの図８のVIIa−VIIa切断線及びVIIb−VIIb切断線に沿った断面図、図８は前記第４の実施形態におけるフレームの形状を示す斜視図である。なお、この第４の実施形態において、上記第１の実施形態と同一構成には同一の符号を付し、説明を省略する。
【００５５】
これらの図７（ａ）及び（ｂ）、図８に示した第４の実施形態は、上記第１の実施形態の表示装置１に比べて、前記液晶表示パネル１０をフレーム３３の前側に配置するようにした点で相違するものであり、他の構成は第１の実施形態と同じである。
【００５６】
この実施形態の表示装置１Ｃは、液晶表示パネル１０がフレーム３３の前側に配置されている。このフレーム３３は、前記液晶表示パネル１０の周辺部が当接する保持枠前面３３ａと、その保持枠前面３３ａの矩形の枠のほぼ中央に、一方の面を保持枠前面３３ａと一致させ、前記矩形の枠の内側に延びる弾性を持った突起からなり、前記導光板２０の前側に当接する複数の上規制片３３ｄが一体的に形成されている。また、前記保持枠前面３３ａの矩形の枠の両端には、前記矩形の枠の内側に延びる弾性を持った突起からなり、前記導光板２０の裏面に当接する複数の下規制片３３ｅが一体的に形成されている。さらに、前記上下の規制片３３ｄ,３３ｅにより形成される導光板保持部３３ｂよりも後側の前記下規制片３３ｅよりもさらに後側に反射シート保持部３３ｃが設けられている。
【００５７】
この実施形態の液晶表示装置１Ｃを組み立てるには、先ず、複数の光学シート２１が一体化された導光板２０を、前記フレーム３３の複数の上下の規制片３３ｄ,３３ｅをたわませ、あるいはフレーム自体をたわませて、前記上規制片３３ｄと下規制部片３３ｅとの間に挿入される。その後、フレーム３３の後側から反射シート４０を前記下側規制片３３ｅに当接させて挿入し、これらを保持させたフレーム３３の後側から下ケース５０を嵌め込み、続いて前記液晶表示パネル１０を前記フレーム３３の前面の前記保持枠前面３３ａにその周辺を当接させた状態で前側から上ケース６０を嵌め込むことにより、前記フレーム３３内に液晶表示パネル１０、導光板２０、及び反射シート４０等を保持させ且つ上下のケース５０，６０内に収納する。
【００５８】
このように、前記反射シート４０は、前記フレーム３３の後側の前記下規制片３３ｅを挟んで最後端側に配置される。したがって、前記反射シート４０は、導光板２０に対して前記下規制片３３ｅの厚さに相当する距離だけ離間された状態で前記フレーム３３に組み込まれているので、前記反射シート４０が変形したとしても、前記導光板２０との間に下規制片３３ｅの厚さに対応する十分な距離が開けられているため、前記導光板２０からは出射する光にムラが発生しない。
【００５９】
また、この発明の表示装置１Ｃによれば、液晶表示パネル１１の周辺が前記保持枠前面３３ａに当接するように前記フレーム３３を形成しているので、フレーム３３の構造を単純化することができる。
【００６０】
尚、上述した第１、第３、第４の実施形態において、液晶表示パネル１１をフレーム３０，３２，３３の前記パネル保持枠部３０ａ，３２ａ，保持枠前面３３ａに当接させて収納する構造を示したが、これに限ることなく、フレームフレーム３０，３２，３３の前記パネル保持枠部３０ａ，３２ａ，保持枠前面３３ａに両面粘着テープ等の粘着材、あるいは接着剤を設け、前記液晶表示パネル１０をこの粘着材等によってフレーム３０，３２，３３それぞれの前記パネル保持枠部３０ａ，３２ａ，保持枠前面３３ａに固定するようにしても良い。
【００６１】
また、上述の各実施形態において、パネル保持枠部３０ａの矩形のうち対向する一対の辺のほぼ中央に上規制片３０ｄを形成するとともに、同じ一対の辺の両端に下規制片３０ｅを形成したが、上規制片３０ｄおよび下規制片３０ｅを形成する個数や形成する位置はこれに限るものではない。即ち、パネル保持枠部３０ａの矩形のうち対向する一対の辺の両端に上規制片３０ｄを形成するとともに、同じ一対の辺のほぼ中央に下規制片３０ｅを形成しても良い。
【００６２】
また、パネル保持枠部３０ａの矩形のうち対向する一対の辺に上規制片３０ｄおよび下規制片３０ｅをそれぞれ複数個形成しても良い。上規制片３０ｄおよび下規制片３０ｅの個数を増やすことにより、上規制片３０ｄと下規制片３０ｅとの間に嵌め込んだ前記導光板２０や前記複数の光学シート２１外れにくくすることができる。
【００６３】
また、上規制片３０ｄまたは下規制片３０ｅを、パネル保持枠部３０ａの矩形のうち対向する一対の長辺に形成しても良いし、対向する一対の短辺に形成しても良い。パネル保持枠部３０ａの矩形のうち隣接する辺に上規制片３０ｄまたは下規制片３０ｅを形成しても良いが、上規制片３０ｄまたは下規制片３０ｅを少なくとも対向する一対の辺に形成することにより、前記導光板２０や前記複数の光学シート２１を安定して挟み込むことができる。
【００６４】
さらに、上規制片３０ｄが前記矩形の枠の内側に向けて延びる長さを、下規制片３０ｅが前記矩形の枠の内側に向けて延びる長さよりも短くしてもよい。これにより、前記導光板２０や前記複数の光学シート２１を上規制片３０ｄと下規制片３０ｅとの間に嵌め込む際に、前記導光板２０や前記複数の光学シート２１をフレーム３０の前側から挿入すると、下規制片３０ｅによって係止された状態で前記導光板２０や前記複数の光学シート２１を撓ませることができるので、フレーム３０の前側から挿入をしやすくすることができる。同様に、下規制片３０ｅが前記矩形の枠の内側に向けて延びる長さを、上規制片３０ｄが前記矩形の枠の内側に向けて延びる長さよりも短くした場合には、前記導光板２０や前記複数の光学シート２１をフレーム３０の後側から挿入しやすくすることができる。
【符号の説明】
【００６５】
１０…液晶表示パネル、１１，１２…基板、１３…シール材、１４，１５…偏光板、１６…液晶、２０…導光板、２１…光学フィルム、２１ａ…プリズムシート、２１ｂ…拡散板、３０，３１，３２，３３…フレーム、３０ａ，３１ａ，３２ａ…パネル保持枠部、３３ａ…保持枠前面、３０ｂ，３１ｂ，３２ｂ，３３ｂ…導光板保持部、３０ｃ，３１ｃ，３２ｃ，３３ｃ…反射シート保持部、３０ｄ，３１ｄ，３３ｄ…上規制片、３０ｅ，３１ｅ，３２ｅ，３３ｅ…下規制片、４０…反射シート、５０…下ケース、５１…下ケース、６０…上ケース、７０…バックライト、８０…粘着テープ。
【図１】
2011210692.tif 000003
【図２】
2011210692.tif 000004
【図３】
2011210692.tif 000005
【図４】
2011210692.tif 000006
【図５】
2011210692.tif 000007
【図６】
2011210692.tif 000008
【図７】
2011210692.tif 000009
【図８】
2011210692.tif 000010